(57)【要約】【課題】簡易な構成で、メダルをメダル受け皿から収容箱に移し替え容易なメダル受け皿を備える遊技機を提供する。【解決手段】遊技機１は、本体２の下部前面に設けられ、メダルが払い出される払出口３と対向する前壁４ａ、前壁４ａの両翼に略直交する一対の側壁４ｂ・４ｃ、及び前壁４ａと一対の側壁４ｂ・４ｃで囲われる底壁４ｄとから構成され、払出口３から払い出されるメダルを受け入れて貯えるメダル受け皿４を備える。メダル受け皿４は、前壁４ａに開口されて複数のメダルが排出される矩形の排出口３９と、前壁４ａの長手方向にスライドし、排出口３９を開閉するスライド板４２を備えている。【選択図】図３
2008295523.tif 000002
【特許請求の範囲】
【請求項１】
本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、
前記メダル受け皿は、前記前壁に開口されて複数のメダルが排出される矩形の排出口と、前記前壁の長手方向にスライドし、前記排出口を開閉するスライド板と、を備えることを特徴とする遊技機。
【請求項２】
前記排出口は、前記メダル受け皿からメダルを移し替える収容箱の開口幅より狭い幅に開口していることを特徴とする請求項１記載の遊技機。
【請求項３】
前記排出口は、前記前壁の一方の端部寄りに開口していることを特徴とする請求項１又は２記載の遊技機。
【発明の詳細な説明】
【技術分野】
【０００１】
本発明は、スロットマシンなどの遊技機に関する。特に、遊技機の下方に配置され、払い出されるメダルを受け入れるメダル受け皿の構造に関する。
【背景技術】
【０００２】
一般に、スロットマシンは、本体の下部前面にメダル受け皿を配置している。メダル受け皿は、メダルの払出口から払い出されるメダルを受け入れて一定量、貯える容量を有している。そして、遊技者は、メダルがメダル受け皿から溢れ出ない内に、メダルを掻き寄せて別の収容箱に移し替えている。この場合、一方の手で収容箱を把持しながら、他方の手でメダル受け皿内のメダルをメダル受け皿の前壁を越えて収容箱に掻き出して移し替えている。
【０００３】
このようなメダルの移し替え作業では、メダルがメダル受け皿の前壁を越えて、収容箱に収容されることなく、床に散乱してしまうことが多々あった。一般に、メダル受け皿の前壁の全長は収容箱の横幅より広く、メダル受け皿に分散するメダルを収容箱に収容することは容易ではなかった。このようなメダルの移し替え作業に対して、メダルをメダル受け皿から収容箱に移し替え容易な遊技機が発明されている（例えば、特許文献１参照）。
【０００４】
特許文献１による遊技機は、図柄が描かれた回転可能な複数の回胴リールと、回胴リールの回転によって図柄が揃ったとき本体から排出されたメダルを受け入れるメダル受け皿とを備えている。メダル受け皿は、底壁、両側壁及び前壁を備えている。前壁には、メダルが排出される排出部が形成され、この排出部を昇降可能に開閉する開閉板が設けられている。又、メダル受け皿は、開閉板を上方に付勢する板ばねを備え、収容箱が掛止される一対の突片を開閉板に設けている。そして、開閉板は、一対の突片に収容箱が掛止された状態で板ばねに抗して下降し排出部を開口する。
【０００５】
特許文献１による遊技機は、メダル受け皿の前壁の排出部からメダルをメダル収容箱に掻き出すことができるので、メダルの移し替えが容易になって、速やかにメダルを移し替えることができる、としている。
【特許文献１】特開２００５−２１１１５６号公報
【発明の開示】
【発明が解決しようとする課題】
【０００６】
特許文献１による遊技機に用いられるメダル受け皿は、一対の突片に収容箱を掛止できるので、遊技者がメダル収容箱を不用意に床に落とすことを防止できる、という利点がある。しかし、特許文献１による遊技機は、収容箱がメダル受け皿に掛止される必要があるため、収容箱が特定されるという問題がある。特許文献１による遊技機を新たに導入した場合は、それまでの収容箱を全て交換するという事態も想定される。メダル受け皿の構造は、収容箱の形状が特定されないことが好ましい。
【０００７】
又、特許文献１によるメダル受け皿は、構成を複雑にしている。簡易な構成であり、メダルをメダル受け皿から収容箱に移し替え容易なメダル受け皿が望まれる。そして、以上のことが、本発明の課題といってよい。
【０００８】
本発明は、このような問題に鑑みてなされたものであり、本体の下部前面に配置されるメダル受け皿を備える遊技機であって、簡易な構成であり、メダルをメダル受け皿から収容箱に移し替え容易なメダル受け皿を備える遊技機を提供することを目的とする。
【課題を解決するための手段】
【０００９】
本発明者は、上記目的を達成するため、箱形に形成されるメダル受け皿の前壁に開閉可能な開口を設けることにより、メダルをメダル受け皿から収容箱に移し替え容易なことを見出し、これに基づいて、以下のような新たなメダル受け皿を備える遊技機を発明するに至った。
【００１０】
（１）  本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、前記メダル受け皿は、前記前壁に開口されて複数のメダルが排出される矩形の排出口と、前記前壁の長手方向にスライドし、前記排出口を開閉するスライド板と、を備えることを特徴とする遊技機。
【００１１】
（１）の発明による遊技機は、本体の下部前面に設けられるメダル受け皿を備えている。メダル受け皿は、前壁と一対の側壁と底壁とで構成されている。前壁は、メダルが払い出される払出口と対向している。一対の側壁は、前壁の両翼に略直交している。底壁は、前壁と一対の側壁で囲われている。そして、メダル受け皿は、払出口から払い出されるメダルを受け入れて貯える。又、メダル受け皿は、矩形の排出口とスライド板を備えている。排出口は、前壁に開口されて複数のメダルが排出される。スライド板は、前壁の長手方向にスライドし、排出口を開閉する。
【００１２】
前壁に開口する排出口は、底壁と段差なく平坦であることが好ましく、底壁から下り傾斜してもよい。排出口の横幅は、後述するように収容箱の開口幅より狭い幅に開口していることが好ましく、複数のメダルが排出できるように所要の幅を有する必要がある。
【００１３】
メダル受け皿としては、軽金属などの金属や金属にメッキ膜や樹脂膜などの皮膜を形成した材料を使用できる。メダル受け皿は合成樹脂で一体に成形してもよい。メダル受け皿は本体と一体に成形してもよいが、本体と別個に成形し、ねじなどの締結具によって本体の下部前面に着脱自在に取り付けてもよい。スライド板の材料としては、メダル受け皿と同じ材料を使用することが好ましい。スライド板は前壁の外面に沿ってスライドするように配置することが好ましい。
【００１４】
（１）の発明による遊技機は、スライド板を一方の方向にスライドすると、排出口が閉じられる。排出口がスライド板で閉じられた状態では、メダル受け皿は、メダルの払出口から払い出されるメダルを受け入れて一定量、貯えることができる。
【００１５】
スライド板を他方の方向にスライドすると、排出口が開かれる。排出口が開かれた状態では、一定の高さと所定幅をもって開口する排出口が前壁に現出するといってもよく、メダル受け皿に分散するメダルが排出口を介して収容箱に収容できる。片手を使って複数のメダルを排出口に押し出すといってよく、排出口に規制されて、複数のメダルが収容箱に流入し易くなる。
【００１６】
（１）の発明による遊技機は、メダルの移し替え作業において、メダルがメダル受け皿の前壁を越えて、収容箱に収容されることなく、床に散乱することを防止することができる。又、（１）の発明による遊技機は、メダル受け皿にスライド板を取り付けるだけで済み、その構造は簡易であって、排出口からのメダルを受けるので、従来のように収容箱が特定されないという効果がある。
【００１７】
（２）  前記排出口は、前記メダル受け皿からメダルを移し替える収容箱の開口幅より狭い幅に開口していることを特徴とする（１）記載の遊技機。
【００１８】
（２）の発明による遊技機は、排出口が、メダル受け皿からメダルを移し替える収容箱の開口幅より狭い幅で開口しているので、収容箱にメダルを確実に移し替えることができる。
【００１９】
（３）  前記排出口は、前記前壁の一方の端部寄りに開口していることを特徴とする（１）又は（２）記載の遊技機。
【００２０】
（３）の発明による遊技機は、例えば、前記排出口は右方に開口されてよく、利き腕を使って大量のメダルを迅速に収容箱に移し変えることができる。
【発明の効果】
【００２１】
本発明による遊技機は、メダル受け皿が、前壁に開口されて複数のメダルが排出される排出口と、前壁の長手方向にスライドし、排出口を開閉するスライド板と、を備えているので、メダルをメダル受け皿から収容箱に容易に移し替えることができる。又、本発明による遊技機は、スライド板を設けるだけでよいので、メダル受け皿の構成を簡易にしている（複雑化することはない）。
【発明を実施するための最良の形態】
【００２２】
以下、図面を参照して本発明を実施するための最良の形態を説明する。
【００２３】
図１は、本発明による遊技機の一実施形態を示す正面図である。図２は、前記実施形態による遊技機の筐体の内部構造を示す斜視外観図であり、前面扉を開けた状態図である。図３は、前記実施形態による遊技機に備わるメダル受けの構造を収容箱と共に示す斜視外観図である。図４は、前記実施形態による遊技機に備わるメダル受け皿の斜視分解組立図である。
【００２４】
最初に、本発明の実施の形態による遊技機の構成について説明する。図１及び図２において、遊技機１は、例えば、スロットマシンであり、前面扉１１を開閉する筐体１２を備えている。そして、前面扉１１と筐体１２とで本体２が構成されている。図２において、筐体１２の内部には、リールユニット１３が配置されている。又、筐体１２の内部は、棚１３ａで上下に仕切られており、リールユニット１３は棚１３ａに載置されている。
【００２５】
図２において、棚１３ａの下方には、投入されたメダルを収納、又はメダルをメダル受け皿４に払い出すホッパー１５や、還元率設定スイッチ１６ａを含む電源ボックス１６が配置されている。棚１３ａの上方には、遊技機１を制御するメイン基板（プリント基板）及びサブ基板（プリント基板）を含む制御盤１７などが配置されている。
【００２６】
図１又は図２において、前面扉１１に形成される正面パネル２２には、矩形状の表示窓１４が設けられている。表示窓１４は、個別の表示窓１４Ｌ・１４Ｃ・１４Ｒに区画されている。リールユニット１３には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００２７】
図１において、表示窓１４の下方右側には、略水平の台座部２８が設けられており、その上面右側には、遊技者が遊技媒体であるメダルを入れるための投入口２５が設けられている。ここで、メダルは、コイン、又はトークンとも称される有価価値である。
【００２８】
図１において、台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。台座部２８の前面の左側には、スタートレバー３２が傾動可能に設けられている。
【００２９】
スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００３０】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００３１】
図１において、スタートレバー３２の左側には、払出しボタン３６が設けられている。遊技者が払出しボタン３６を押動操作したときには、投入されているメダルが正面下部のメダルの払出口３から払い出され、払い出されたメダルはメダル受け皿４に溜められる。
【００３２】
図１において、表示窓１４には、横に３本（中央及び上下）及び斜めに２本の入賞ラインが設けられている。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３３】
図１において、前面扉１１の下部には、腰部パネルと呼ばれる化粧パネル２７が設けられている。化粧パネル２７は、リール停止ボタン３４Ｌ・３４Ｃ・３４Ｒの下側に位置するように設けられており、絵柄模様、遊技機の名称などが表示されている。化粧パネル２７は、前方に突出しており、メダル受け皿４は、化粧パネル２７の下方に位置している。
【００３４】
ところで、メダル受け皿４に溜まったメダルは、適宜に収容箱５に移し替えられることになるが、図示の実施の形態では、メダルの移し替えを容易にするため、メダル受け皿４は次のような構造を有している。
【００３５】
図３において、上述のメダル受け皿４は所定量のメダルを溜めることができ、例えば、表面がメッキや塗装された軽金属によって形成されている（メダル受け皿は合成樹脂で一体に成形してもよい）。なお、メダル受け皿４は本体２と一体に成形してもよいが、本体２と別個に成形し、ねじなどの締結具によって本体２の下部前面に着脱自在に取り付けるようにしてもよい。
【００３６】
メダル受け皿４は、前壁４ａ、一対の側壁４ｂ及び４ｃ、及び底壁４ｄを備え、上面が開口されている。前壁４ａは、メダルの払出口３と対向しており、一対の側壁４ｂ・４ｃは、前壁４ａの両翼に略直交している。底壁４ｄは、前壁４ａと一対の側壁４ｂ及び４ｃとで囲われている。又、図示のように、メダル受け皿４の一方の側壁４ｂに隣接して灰皿３８が設けられている。
【００３７】
メダル受け皿４の前壁４ａには、その右側の領域において、矩形状の排出口３９が開口されている。排出口３９の開口は、複数のメダルを排出するのに十分な大きさを有している。そして、前壁４ａにおいて、排出口３９の左側には、前壁４ａの長手方向に延びるスリット４０が形成されている。スリット４０には後述するつまみ４１の軸部４１ｂが挿入され、つまみ４１の端部には、前壁４ａの裏面に位置付けられたスライド板４２が固定されている。
【００３８】
なお、スライド板４２は、前壁４ａの長手方向に延在している。又、スライド板４２は、メダル受け皿４と同じ材料を用いることが好ましい。
【００３９】
図４において、つまみ４１は、円柱状の把持部（頭部）４１ａを有している。把持部４１ａと同心に軸部４１ｂが形成されている。軸部４１ｂには、皿ねじ４１ｃにねじ止めされる雌ねじ（図示せず）が形成されている。軸部４１ｂの外径は、スリット４０の幅（前壁４ａの長手方向に直交する方向の長さ）よりも小さく、軸部４１ｂの軸方向の長さは、前壁４ａの厚さよりも大きく、スライド板４２の移動を可能としている。
【００４０】
一方、スライド板４２には、皿ねじ４１ｃが挿入されるねじ穴４２ａが形成されており、図中一点鎖線で示すように、軸部４１ｂをスリット４０に挿入した後、スライド板４２の裏面側からねじ穴４２ａを介して皿ねじ４１ｃを軸部４１ｂにねじ固定する。
【００４１】
このように組立てられることにより、スライド板４２は、つまみ４１によって前壁４ａの裏面側に保持されることになる。そして、把持部４１ａを、前壁４ａの長手方向に操作すると（動かすと）、図３の実線矢印で示す方向にスライド板４２を移動できる。
【００４２】
なお、図３又は図４において、把持部４１ａをスリット４０の左端に位置付けた際には、スライド板４２は排出口３９を完全に開く位置に移動でき、把持部４１ａをスリット４０の右端に位置付けた際には、スライド板４２は排出口３９を完全に閉じる位置に移動できる。
【００４３】
遊技者は、遊技中においては、把持部４１ａを操作して、スライド板４２によって排出口３９を閉じておき、メダル受け皿４に溜まったメダルを収容箱５に移し替える際に、把持部４１ａを操作して、排出口３９を開くようにする。
【００４４】
図３に示すように、収容箱５には、上面が開口されて、メダルを溜める凹部５１が規定され、その両翼には把持可能な一対の取手５ａ・５ｂが形成されている。更に、上面開口の周囲（長手方向）には、径方向外側に広がるフランジ５ｃが形成されている。この収容箱５は樹脂製であるから、フランジ５ｃを形成することによって、取手５ａ・５ｂを持ち上げた際のメダルの重量による撓みを防止している。つまり、収容箱５の強度をフランジ５ｃによって補強している。
【００４５】
メダル受け皿４に溜まったメダルを、収容箱５に移し替える際には、収容箱５を排出口３９に対応付けて、収容箱５をメダル受け皿４の前に置く。その後、把持部４１ａを操作して、排出口３９を開いて、片手を使って、メダル受け皿４中のメダルを排出口３９に押し出すと、複数のメダルが排出口３９に規制されつつ、排出口３９から収容箱５に流入する。そして、メダル受け皿４から収容箱５へのメダルの移し替えが終わると、把持部４１ａを操作して、スライド板４２によって排出口３９を閉じる。
【００４６】
ところで、メダルの移し替えを容易にするためには、排出口３９は、底壁４ｄと段差なく平坦であることが好ましい。つまり、排出口３９の下辺部は、底壁４ｄと同一面を形成することが好ましい。そして、底壁４ｄを傾斜面として排出口３９側に下り傾斜とするようにしてもよい。更に、排出口３９の横幅は、収容箱５の開口幅より狭い幅に開口していることが好ましく、このようにすれば、メダル移し替えの際に、排出口３９から収容箱５の外にメダルがこぼれてしまうことがない。
【００４７】
上述のように、本実施の形態による遊技機では、メダルの移し替えの際、メダル受け皿４の前壁４ａに形成された排出口３９を開いて、排出口３９からメダルを収容箱５に移し替えるようにしたので、メダルがメダル受け皿４の前壁を越えて収容箱５に収容されることなく、床に散乱することを防止することができる。
【００４８】
更に、排出口３９は、収容箱５の開口幅より狭い幅で開口しているので、収容箱５にメダルを確実に移し替えることができ、しかも、排出口３９を、メダル受け皿４の前壁４ａは右側領域に開口したので、利き腕を使って大量のメダルを迅速に収容箱５に移し変えることができる。
【００４９】
なお、上述の実施の形態では、排出口３９をメダル受け皿４の前壁４ａは右側領域に開口するようにしたが、排出口３９は前壁４ａに形成するようにすればよく、その位置は特に限定されない。
【図面の簡単な説明】
【００５０】
【図１】本発明による遊技機の一実施形態を示す正面図である。
【図２】前記実施形態による遊技機の筐体の内部構造を示す斜視外観図であり、前面扉を開けた状態図である。
【図３】前記実施形態による遊技機に備わるメダル受けの構造を収容箱と共に示す斜視外観図である。
【図４】前記実施形態による遊技機に備わるメダル受け皿の斜視分解組立図である。
【符号の説明】
【００５１】
１  遊技機
２  本体
３  払出口
４  メダル受け皿
４ａ  前壁
４ｂ・４ｃ  一対の側壁
４ｄ  底壁
３９  排出口
４２  スライド板
【図１】
2008295523.tif 000003
【図２】
2008295523.tif 000004
【図３】
2008295523.tif 000005
【図４】
2008295523.tif 000006